(57)【要約】【課題】  難病のガン発病や転移での再発防止とエイズ等の治療とボケ・痴呆・アルツハイマー予防での安心な平和生活と人類の希望と幸福の確立を担うために。総ての物質の劣化防止と食品の残留農薬成分の減少や消去による鮮度維持や貯蔵・備蓄に、醗酵・熟成食品の期間短縮、家畜が健康で安全な食品生産に役立つ事を課題とします。【解決手段】  気功建物や貯蔵庫の地面や床下と壁面に木炭を詰め地電流は放電し、地磁気とマイナスエネルギーやプロトン陽原子に木炭のエレクトロン陰電子を供給し還元改善し、外壁構造と屋根形状と磁気アンテナで宇宙・太陽磁気エネルギー等の建物内に導入し気功と上記項目の総ての物質の改善で安定化させる事ができます。家畜建物の東西南北の敷地に木炭を埋設し屋根に磁気アンテナを立て宇宙・太陽磁気エネルギー等の建物内に導入し、家畜も気功を受け上記目的が達成できます。【選択図】  図８
2005207201.tif 000002
【特許請求の範囲】
【請求項１】
木造校倉造り貯蔵庫の床下や地面に木炭を敷き地磁気を改善し、又は４壁面にも木炭を詰めた建物はより高機能化し、屋根を４５度傾斜させ中心に磁気アンテナを立て、又は建物が長方形の場合は建物長てに支柱を立てアンテナを張り渡しアンテナの高さで４５度傾斜で屋根上をカバーし宇宙や太陽磁気エネルギー等を建物内に導入し複数に分割もできる事を特徴とする自然エネルギー利用貯蔵庫です。
【請求項２】
請求項１の高床式貯蔵庫。
【請求項３】
木造校倉造り平屋建て建物床下や地面に木炭を敷き地磁気を改善し、外側の窓扉以外の４外壁面に木炭を入れ屋根は４５度傾斜させ中心に磁気アンテナを立て、又は建物が長方形の場合は建物長てに支柱を立てアンテナを張り渡しアンテナの高さで４５度傾斜で屋根上をカバーし宇宙や太陽磁気エネルギー等を建物内に導入した気功建物。
【請求項４】
上記請求項３の木造校倉造り二階建て自然エネルギー利用気功建物。
【請求項５】
上記請求項３の木造校倉造り三階建て自然エネルギー利用気功建物。
【請求項６】
上記請求項４の高床式の木造校倉造り二階建て自然エネルギー利用気功建物。
【請求項７】
上記請求項３の高床式の木造校倉造り平屋建て自然エネルギー利用気功建物。
【請求項８】
木造家畜建物の敷地の東西南北に正四角形の頂点に直径９０センチ深さ９０センチの穴を堀り３０センチの厚さで木炭を埋め、屋根は４５度傾斜させ中心に磁気アンテナを立て、又は建物が長方形の場合は建物長てに支柱を立てアンテナを張り渡し高さで４５度傾斜で屋根上をカバーし宇宙や太陽磁気エネルギー等を建物内に導入した気功家畜建物で、既存建物改造も含む物とする。
【発明の詳細な説明】
【技術分野】
【０００１】  本発明は校倉造り自然エネルギー利用貯蔵庫・気功建物・自然エネルギー利用気功家畜建物、以後名称は貯蔵庫・気功建物・家畜建物とする。
【背景技術】
【０００２】  自然科学で宇宙の法則、森羅万象の現象は中国４０００年の歴史で陰陽と五行説・風水などで観ると符合します、これらは一般人には目に見えないエネルギーで霊能者が１５３億年宇宙創造の神と対話し啓示を受け造られた法則で、現代科学はまだそこまで行ってなく解らないと考えるのが妥当と考える、祭りごとを司る菅原道真公が反対派に敗れ九州に左遷され死後魂となり無念の思いが、計り事を仕組んだ人達を死に至しめた、史実ではそのご京の都が乱れ帝の依頼で陰陽師で霊能者の阿部清明が帝の御所の表鬼門に居を構え、他の霊能者とチームを組み戦ったのは実在の相手ではなく魂が悪霊や妖怪に化身した物で彼等には見えたマイナスエネルギーとの戦いで勝利し都に平安が戻った。【０００３】  皇居は昔からエネルギーの高い場所と言われ人間も元気になる事を知っていた徳川家康公が築城にあたり天海僧侶の基に表鬼門に芝の増上寺と裏鬼門に上野の寛永寺を配しマイナスエネルギーの浸入を封じ自身は死後、磁石が北を指すように北からのエネルギーに乗り守神として日光東照宮に霊廟を構えた、江戸城造営に当たったのが数多く築城を手掛けた藤堂高虎で寛永寺に居を構え死後の今も墓所は動物園内にあり、家康公と共に守り続け彼等は陰陽を知る霊能者であり、奇しくも末裔の私は建築企画設計に携わり風水に関わるエネルギー研究をライフワークとしこれらの事が解った。【０００４】  陰陽とはマイナスとプラス・エネルギーを言いこれの均衡が取れたゼロが最も良い状態と言え、エネルギー発生場所は天・地・人の３つと言い、天とは宇宙や太陽エネルギー等をさし、地とは地球のマグマからのエネルギーをさす、人とは人の思いであり上記の通り死しても魂がこの世に何百年も存在し憑依や復讐する事もある。昔新聞で騒がれた平将門公の首塚を移設しようとした所、事故が発生し世にいう地縛霊が吹き出した例で、家を新築する時に神主が土地に塩を撒き御払いをするが塩がエネルギーを呼び土地に籠る地縛霊に出て行ってもらう祭り事です、そして俗に言う浮遊霊も存在し特に自殺者に多く自殺すると２００年以上は天界に行けず人に憑依し霊能者が天界に昇天させている、御先祖様から六代前までこの世にエネルギーとして存在し建物から出る時ピシッと音を出し一般人には建物の乾燥からの音と思われている。【０００５】  時代はさかのぼり正倉院の校倉造りは奈良時代の帝の宝物殿として建立され約１２００年経過の今も保管された宝物に経時変化がなく驚くべき全物質に対するエネルギーバランスで中和安定し、外壁材の形とピラミットの形も類似しピラミットと共に神と対話し霊能者が設計したものである。【０００６】  中国太極拳の気功は、体内に憑依や溜まった左回りのマイナスエネルギーを気功で宇宙や太陽磁気の右回りのエネルギー等を集め自身体内に吸収しエネルギーバランスを安定化させています、公立病院でも気功師は宇宙や太陽磁気エネルギー等も含め大量に集め集中的に患者の治療に利用しガン患者までも治療されております。しかし気功師が断る場合があり受ける患者が信じないと体が受け付けない、体の方が全知万能で神がそのように造ってくれていた。日本でも世界トップクラスの霊能者で気功師によりガン発病は結果であって、原因があり��ン発病や術後の転移もそのメカニズムが解明され、ボケ・痴呆・アルツハイマー等も今後これらの建物で対応の段階に入れる。【０００７】
【非特許文献１】    「静電三法  発行  株式会社電子物性総合研究所１９９１」１９９１年。上記文献で部分的に解りやすく解明されている、内容は地球環境の破壊が進む中で空気も土壌も複合汚染で物も人も酸化され現代病もその一要因と言われています。自然界の物質はすべて元素で構成され、プロトン陽原子とエレクトロン陰電子の２種類が均衡のとれた状態が本来あるべき姿で物質は帯電せず、電子の不均等分布が生じたとき陰電気や陽電気を帯びたと言い劣化が始まり、これを防ぐためプロトン陽原子に自然界の静電気を利用しエレクトロン陰電子を陽原子に供給し安定させる。
【発明の開示】
【発明が解決しようとする課題】
【０００８】  発明が解決しようとする課題は、貯蔵庫で食品の残留農薬成分減少や消去で鮮度維持による劣化防止と貯蔵・備蓄に、醗酵・熟成食品の期間短縮、気功建物で難病のガンやその転移再発とエイズ及びボケ・痴呆・アルツハイマー等の治癒と予防による安心生活と人類の希望と幸福の確立を担うために、現代科学や西洋医学に否定や敵対する物ではなく相互扶助に役立つ物であると確信している。家畜建物で健康な家畜生産に役立つ事を課題とする。【０００９】  地電流はトロイダル型磁力線や地球の自転・プレート侵入の岩盤崩壊で発生し地域や地形により異なりプロトン陽原子はマグマや同上の岩盤崩壊で発生し地上に吹き出し、世界各地の場所に地電流と地磁気のプロトン陽原子とエレクトロン陰電子とのバランスに歪みのある事も知られています。従来の技術は一体化してなく、地電流の影響を排除し地磁気は中和改善し宇宙・太陽磁気エネルギー等を一体化させ、気功も人為でなく高機能化と利用システムを構築した貯蔵庫・気功建物や家畜建物の温度管理下で利用するシステムを作る事を課題とします。
【課題を解決するための手段】
【００１０】  課題を解決するための手段は、地電流は放電し中和するが地形で異なり対処法がある。地磁気やマイナスエネルギーの処理は木炭を床下や地面に詰め木炭のエレクトロン静電子をプロトン陽原子に供給し、校倉建物の井桁構造はプラスエネルギーを導入し切り口らマイナスエネルギーを放出する機能は既存の校倉外壁の約２倍の機能を持つ、四外壁の木炭は太陽の東から南・西に流れ磁石が北を差すそれらのエネルギーを改善し、磁気アンテナから導入の宇宙や太陽磁気エネルギー等の建物内導入でマイナスエネルギー量を上回り安定供給し続ける事で問題解決に役立つ事が解った。そして貯蔵庫・気功建物や家畜建物の屋根４５度傾斜や４５度が不可能であれば磁気アンテナ架線高さと４５度傾斜で屋根上をカバーし解決する事を手段とします。【００１１】  床下に木炭の調湿目的で敷くがマイナスイオン量の数値は１７０位で、これと目的が異なり使われる木炭は１７００位と約１０倍の性能を持つ、静電子は遊離しスピンウトしやすく供給目的で特別に開発され、特に導電性が高く静電子に変換し大量のマナイオンを供給し、遠赤外線は０，９に対し１，１とほぼ理想黒体に近いエネルギーを安定して放射する品質で湿気は蒸散してしまいます。遠赤外線応用研究会調べ。
ホルムアルデヒドも吸着し消去します。（財）日本食品分析センター調べ。【００１２】  ピラミットパワーを調べるため金属の正三角垂で頂上に磁気アンテナを設け、中心下の円形水槽に水性塗料をプレートに塗布し中心底に設置した所、水の抵抗にもかかわらず色は中心を右回りの竜巻で上昇し北に流れ中心に反転その流れは徐々に角度を変え時計の右回りの東から南・西へと２４時間で３６０度回転し水全体が染まった、その宇宙や太陽磁気エネルギー等は０，２〜０，３ミリガウスの微弱なものでも確認できた。【００１３】  上記と同時に長方形水槽中心に磁気アンテナを立てプレートに水性塗料を塗布し中心底に設置、色は底を北に流れ壁面を上昇し中心に反転その流れは徐々に角度を変え時計の右回りの東から南・西へと２４時間で３６０度回転し水全体が染まった、その時の宇宙や太陽磁気エネルギー等は上記と同じ微弱なもので確認でき、しかも上記ピラミットパワーよりも約３倍くらい高い機能を持つ事が解り、空気中ではもっと速度が高いであろう事も推察され利用できる確証が得られた。実験は建物・樹木・電線からの電磁波の影響を避けるため広い場所で行った。
【発明の効果】
【００１４】  従来の技術では、梅干しを作るには塩分１８−２０％でないとカビが発生する、原因は栽培時の農薬成分が細胞内外に残りそれでカビが発生していた、貯蔵庫と気功建物の双方で塩分３％でもカビは発生せず栽培時の残留農薬成分は消去され、日本食品分析センターでも証明された、塩の種類にもよるが塩造品はエネルギーを呼ぶので無農薬化が早い、作物の種類で減少や消去の効果に差が有る。気功建物より貯蔵庫の方が好結果が得られ、醗酵食品の味噌も低塩分で４ケ月で完熟し、ワインの醗酵・熟成完熟は約３ケ月、タバコも紫煙に含まれる残留農薬化合物の減少が予測される。【００１５】  気功建物で最も効果が高い高床式は、地面から２，４メートル離れ地電流や地磁気の影響を受けにくく宇宙や太陽磁気エネルギー等を大量に導入し、建物内の人達の体内物質にエレクトロン陰電子をプロトン陽原子に他のエネルギー等も含め人体に安定供給し続け、原子から分子・細胞レベルまで改善され、住居内にいるだけで自然の気功を受けている状態で、気の流れが良くなり初期ガンやエイズ症状進行の３０％位までは治癒したり進行を遅らせ転移も予防でき、ボケ・痴呆・アルツハイマー等にも効果が得られる。気功師のトップクラスは症状進行５０％位までは治癒させている。この機能により若々しく美容と健康に良い効果で元気になり、美容建物・健康建物・老人ホーム・ケアーハウスや医療関係の療養建物等に利用できる。【００１６】  校倉建物は大量の木炭のマイナスイオン効果で建物内の空気中の雑菌の消去による清浄化で爽やかさと共に、消臭とカビ予防によるダニ発生防止と、遠赤外線で室内上下温度分布差の平準化と水分子の活性化で体内の血行血流を促進します。【００１７】  貯蔵庫と気功建物は温度管理で酵母・酵素・細胞・微生物レベルの活性化と熟成で平衡抑制となり、良環境で品質の安定化で、医薬品開発やバイオ関連や、その他の分野の施設などで開発手法が幅広く可能となります。【００１８】  布類・家具什器備品・貴重な調度品の書画骨董品類などすべての物質の活性化に効果が得られ、美しく保ち資産価値が高く維持できる。【００１９】  貯蔵庫は残留農薬成分の減少や消去で食品原材料・完成品の鮮度維持と貯蔵や備蓄に、醗酵・熟成食品では色沢・香り・味などが優れ完熟の期間短縮で経費削減、温度管理による寒冷地の雪ムロで利用されている、食品類の低温貯蔵や酒類の氷温での醗酵・熟成や氷温貯蔵が温暖な地域でも利用でき四季を通じ可能となる。家畜建物は家畜が気功を受け、飼料の残留農薬成分の減少や消去で醗酵や熟成にも効果が得られる。
【発明を実施するための最良の形態】
【００２０】  この発明の一実施形態を図１に示す。
図１は本考案の請求項１を実施せる貯蔵庫の概念平面図です。【００２１】  この発明の一実施形態を図２に示す。
図２は本考案の請求項１を実施せる貯蔵庫の概念断面図です。木製杭で基礎は束石と束柱が最も効果が高く本体１と１４の素材は自然素材の木材と石材や瓦等とする、この本体１の床下や地面に３の木炭を地域や地形で最大で３０センチの厚さまで敷き詰める場合がある、１４の屋根傾斜は４５度が最も効果が有り中心に２の磁気アンテナを立て建物内部の東西南北を通過し地中に２のアースします。建物が長方形の場合は建物長てに支柱を立てアンテナを張り渡し高さ４５度で屋根をカバーし、宇宙・太陽磁気エネルギー等を建物内部に導入し内部を分割使用しても良い、壁面に同じ厚さの木炭を入れるとより効果が高い。また目的に合わせた冷暖房システムにて行う。【００２２】  図３は本考案の請求項２を実施せる高床式貯蔵庫の概念断面図です。仕様は上記請求項１にならう。【００２３】  この発明の一実施形態を図４平屋気功建物を示す。
図４は本考案の請求項３を実施せる気功建物の概念断面図です。木製杭で基礎は束石と束柱が理想であるが布基礎でも良い、しかし地盤が不安定の時はべた基礎でも良いがコンクリートはエネルギーを吸収するため時間がかかる、１の建物外壁は木造で井桁に組み材は図１０の部材で無垢材や集成材でも良い、地面や床下に３の木炭を地域や地形で最大で３０センチの厚さまで敷き詰める場合がある、内装材は自然素材がエネルギーを吸収しないので最も望ましい、窓扉以外の外側四壁面に同じ厚さで木炭を入れるとより効果が高い、１４の屋根は瓦・石材等で傾斜は４５度が最も効果が有る、中心に２の磁気アンテナを立て内部を通過し地中に２のアースします。建物が長方形の場合は建物長てに支柱を立てアンテナを張り渡し高さ４５度で屋根をカバーし、宇宙・太陽磁気エネルギー等を建物内部の東西南北に導入し地中にアースする。冷暖房システムはそれぞれの目的に合せて行う。【００２４】  この発明の一実施形態を図５二階建物に示す。
図５は本考案の請求項４を実施せる気功建物の二階立て概念断面図です。仕様は上記請求項３にならう。【００２５】  この発明の一実施形態を図６三階建物に示す。
図６は本考案の請求項５を実施せる気功建物の三階建て概念断面図です。仕様は上記請求項３にならう、エレベーター取り付けは任意でよい。【００２６】  この発明の一実施形態を図７は高床式気功建物の二階建て校倉建物の平面図を示す。図７は本考案の請求項６を実施せる気功建物の概念平面図です。窓や出入口その他は出来るだけ図示の表鬼門・裏鬼門を避け封止すると良い。【００２７】  この発明の一実施形態を図８の高床式二階建て気功建物を示す。
図８は本考案の請求項６を実施せる高床式気功建物の概念断面図です。木製杭で基礎は束石が理想であるが布基礎でも良い、しかし地盤が不良の時はべた基礎でも良いがコンクリートはエネルギーを吸収するため時間がかかる、建物１階は中空となっており高さは最低２、４メートル以上地盤面から離す事、木製の束柱でないと地電流や地磁気が浸入する、形は問はないパイプ状の空芯でも良い、１階を車庫にする場合は車の屋根から梁下まで最低６０センチ以上は離さないと地電流や地磁気が浸入し影響を受ける。他は本考案の請求項４と同じとしエレベーター取り付けは任意でよい。【００２８】  この発明の一実施形態を図９の高床式平屋建て気功建物を示す。図９は本考案の請求項７を実施せる高床式気功建物の概念断面図です。仕様は上記請求項６にならう。【００２９】  この発明の一実施形態を図１０に示す。
図１０は請求項１・２・３・４・５・６・７の校倉建物の木造外壁の井桁に組んだ部材の概念断面図です。紙面の都合上縦書きとなっているが使用は横長になる、六角形に近い形態は外部からの陽原子やマイナスエネルギーの内部侵入を防ぎ、仮に侵入しても井桁に組んだ突出部から放出する機能を持っており既存の校倉建物の約２倍の効果がある。また建物の大きさで部材のサイズが変わる。【００３０】  この発明の一実施形態を図１１に示す。
図１１は本考案の請求項８を実施の家畜建物の概念平面図です。建物敷地の東西南北に正４角形が望ましく直径９０センチ深さ９０センチの穴を堀り３の木炭を３０センチの厚さで埋める事で地磁気を改善します。【００３１】  この発明の一実施形態を図１２に示す。
図１２は本考案の請求項８を実施の家畜建物の概念断面図です。建物と屋根材は自然素材が良く瓦や石板の屋根中心に磁気アンテナを立て傾斜角４５度で屋根をカバーし、建物が長方形の場合は建物長てに支柱を立てアンテナを張り渡し高さで屋根上をカバーし内部壁面の東西南北を通過し地中に２のアースします。陸上養殖魚にも役立つ。
【産業上の利用可能性】
【００３２】  素材の熟成でより高機能となり正倉院の宝物のごとく、紙・布・木質・ガラス・陶磁器・金属類、油脂類・染料・塗料・インク・鋳物の枯れも促進します。それ以外の全物質のエネルギーバランスを改善し安定化で素材の分子構造が変化し加工しやすくなったり径時変化に耐える事ができます。
【図面の簡単な説明】
【００３３】
【図１】請求項１の貯蔵庫の平面図。
【図２】請求項１の貯蔵庫の断面図。
【図３】請求項２の高床式の貯蔵庫の断面図。
【図４】請求項３の校倉造り平屋建て気功建物の断面図。
【図５】請求項４の校倉造り二階建て気功建物の断面図。
【図６】請求項５の校倉造り三階建て気功建物の断面図。
【図７】請求項６の高床式の二階建て気功建物の平面図。
【図８】請求項６の高床式の二階建て気功建物の断面図。
【図９】請求項７の高床式の平屋建て気功建物の断面図。
【図１０】請求項１・２・３・４・５の木造校倉造り外壁部材の断面図。
【図１１】請求項８の家畜建物の平面図。
【図１２】請求項８の家畜建物の断面図。
【符号の説明】
【００３４】  １…建物や構築物本体
２…磁気アンテナやアース
３…木炭
４…束柱
５…木製杭
６…束石
７…地盤面
８…屋根４５度カバーライン
９…吹き抜け
１０…エレベーター
１１…表鬼門ライン
１２…裏鬼門ライン
１３…車屋根上６０センチ以上空ける
１４…屋根
１５…車庫土間玉石コンクリート
１６…校倉外壁部材
１７…北方向
【図１】
2005207201.tif 000003
【図２】
2005207201.tif 000004
【図３】
2005207201.tif 000005
【図４】
2005207201.tif 000006
【図５】
2005207201.tif 000007
【図６】
2005207201.tif 000008
【図７】
2005207201.tif 000009
【図８】
2005207201.tif 000010
【図９】
2005207201.tif 000011
【図１０】
2005207201.tif 000012
【図１１】
2005207201.tif 000013
【図１２】
2005207201.tif 000014